(57)【要約】【課題】  熱交換器の全域に空気流を通過させることができる冷却装置を提供する。【解決手段】本発明は、車両前方ＦＤに配設される熱交換器１０に送風機３０を用いて空気を送風する冷却装置２０であって、熱交換器１０の車両前方ＦＤで複数段に配設され、送風機３０から送られる空気を熱交換器１０に向けて吹き付けるエジェクタノズル４１が形成された複数の前部ダクト４０を備える。各前部ダクト４０は、前部ダクト４０の長手方向の中央寄りに設けられる中央領域４０ＣＦと、前部ダクト４０の長手方向の端部寄りに設けられ、中央領域４０ＣＦよりも厚み方向の寸法が大きい端部領域４０ＥＦとを有する。【選択図】図１
2014173484.tif 000002
【特許請求の範囲】
【請求項１】
車両前方に配設される熱交換器(10)に送風機(30)を用いて空気を送風する冷却装置(20)であって、
前記熱交換器(10)の車両前方で複数段に配設され、前記送風機(30)から送られる空気を前記熱交換器(10)に向けて吹き付けるエジェクタノズル(41)が形成された複数のダクト部材(40)を備え、
前記各ダクト部材(40)は、
前記ダクト部材(40)の長手方向の中央寄りに設けられる中央領域(40CF)と、
前記ダクト部材(40)の長手方向の端部寄りに設けられ、前記中央領域(40CF)よりも厚み方向の寸法が大きい端部領域(40EF)と
を有することを特徴とする冷却装置(20)。
【請求項２】
請求項１に記載の冷却装置(20)であって、
前記中央領域(40CF)を通過する空気の通風抵抗は、前記端部領域(40EF)を通過する空気の通風抵抗よりも大きいことを特徴とする冷却装置(20)。
【請求項３】
請求項１又は請求項２に記載の冷却装置(20)であって、
前記各中央領域(40CF)の間隔(Dcf)は、前記各端部領域(40EF)の間隔(Def)よりも広いことを特徴とする冷却装置(20)。
【請求項４】
請求項１乃至請求項３の何れかに記載の冷却装置(20)であって、
前記各ダクト部材(40)の厚み方向の寸法は、前記中央領域(40CF)から前記端部領域(40EF)に亘って徐々に大きくなることを特徴とする冷却装置(20)。
【請求項５】
請求項１乃至請求項４の何れかに記載の冷却装置(20)であって、
前記ダクト部材(40)は、上下一対の壁面(42,43)を有しており、
一対の前記壁面(42,43)の少なくとも一方は、前記中央領域(40CF)で他方側に向かってへこんでいることを特徴とする冷却装置(20)。
【請求項６】
請求項１乃至請求項５の何れかに記載の冷却装置(20)であって、
前記ダクト部材(40)は、
最上段に設けられて前記熱交換器(10)に対して下部側に送風する前記エジェクタノズル(41A)が形成された上段ダクト(40A)と、
最下段に設けられて前記熱交換器(10)に対して上部側に送風する前記エジェクタノズル(41B)が形成された下段ダクト(40B)と、
前記上段ダクト(40A)と前記下段ダクト(40B)との間に設けられて前記熱交換器(10)に対して上部側及び下部側に送風する前記エジェクタノズル(41C)が形成された中段ダクト(40C)と
を備えることを特徴とする冷却装置(20)。
【発明の詳細な説明】
【技術分野】
【０００１】
本発明は、熱交換器に空気を送風する冷却装置に関する。
【背景技術】
【０００２】
従来から、車両のフロントエンドモジュールには、熱交換ユニットが設けられている。この種の熱交換ユニットとしては、ラジエータやコンデンサ等からなる熱交換器と、熱交換器に空気を送風する冷却ファンとによって構成されたものが知られている（例えば、特許文献１参照）。
【０００３】
冷却ファンは、電動ファンやモータ等によって構成され、熱交換器とともにシュラウドに取り付けられている。シュラウドには、正面視で略円形状の左右一対の開口部が形成されており、該開口部には、冷却ファンが取り付けられている。
【０００４】
このような熱交換ユニットでは、冷却ファンの駆動（電動ファンの回転）に伴って車両前方からの空気を熱交換器に通過させ、熱交換器内を循環する冷媒や冷却水を放熱させて冷却している。
【先行技術文献】
【特許文献】
【０００５】
【特許文献１】特開２００５−８３３２１号公報
【発明の概要】
【発明が解決しようとする課題】
【０００６】
しかしながら、上述した従来の技術では、電動ファンの回転が略円形状であることに加えてシュラウドに形成された開口部が略円形状であることで、車両前方からの空気が開口部の周囲（特に、正面視で四隅）に突き当たって通過しにくい。従って、熱交換器の全域に空気流を通過させる技術が望まれていた。
【０００７】
そこで、本発明は、熱交換器の全域に空気流を通過させることができる冷却装置の提供を目的とする。
【課題を解決するための手段】
【０００８】
上述した課題を解決するため、本発明は、次のような特徴を有している。まず、本発明の第１の特徴は、車両前方に配設される熱交換器に送風機を用いて空気を送風する冷却装置であって、前記熱交換器の車両前方で複数段に配設され、前記送風機から送られる空気を前記熱交換器に向けて吹き付けるエジェクタノズルが形成された複数のダクト部材を備え、前記各ダクト部材は、前記ダクト部材の長手方向の中央寄りに設けられる中央領域と、前記ダクト部材の長手方向の端部寄りに設けられ、前記中央領域よりも厚み方向の寸法が大きい端部領域とを有することを要旨とする。
【０００９】
その他の特徴としては、前記中央領域を通過する空気の通風抵抗は、前記端部領域を通過する空気の通風抵抗よりも大きいことが好ましい。
【００１０】
その他の特徴としては、前記各中央領域の間隔は、前記各端部領域の間隔よりも広いことが好ましい。
【００１１】
その他の特徴としては、前記各ダクト部材の厚み方向の寸法は、前記中央領域から前記端部領域に亘って徐々に大きくなることが好ましい。
【００１２】
その他の特徴としては、前記ダクト部材は、上下一対の壁面を有しており、一対の前記壁面の少なくとも一方は、前記中央領域で他方側に向かってへこんでいることが好ましい。
【００１３】
その他の特徴としては、前記ダクト部材は、最上段に設けられて前記熱交換器に対して下部側に送風する前記エジェクタノズルが形成された上段ダクトと、最下段に設けられて前記熱交換器に対して上部側に送風する前記エジェクタノズルが形成された下段ダクトと、前記上段ダクトと前記下段ダクトとの間に設けられて前記熱交換器に対して上部側及び下部側に送風する前記エジェクタノズルが形成された中段ダクトとを備えることが好ましい。
【発明の効果】
【００１４】
本発明の特徴によれば、ダクト部材が熱交換器の車両前方で複数段に配設されることによって、ダクト部材に形成されたエジェクタノズルから放出された空気は、ダクト部材の車両前方の空気を誘引しながら熱交換器を通過する。つまり、エジェクタノズルから放出された空気は、当該空気に誘引された車両前方の空気とともに、熱交換器の全域を通過する。
【００１５】
また、各ダクト部材の厚み方向の寸法を均一な場合、エジェクタノズルから放出される空気量は端部領域に比べて中央領域の方が多くなることがあるが、各ダクト部材の中央領域が端部領域よりも厚み方向の寸法が小さいことによって、中央領域を通過する空気の通風抵抗が端部領域を通過する空気の通風抵抗よりも大きくなるため、中央領域のエジェクタノズルから放出される空気量が多くなることを抑制できる。
【００１６】
一方、各ダクト部材の中央領域の間隔が端部領域の間隔よりも広いため、中央領域の間に入り込む空気量が端部領域の間に入り込む空気量よりも少なくなる。つまり、エジェクタノズルから放出される空気量と各ダクト部材間に入る空気量とを調節することで、ダクト部材の端部領域から中央領域に至る間の空気量を均一化することができる。従って、熱交換器を通過する際の空気の風速分布が均一になりやすい。
【図面の簡単な説明】
【００１７】
【図１】図１は、本実施形態に係る熱交換ユニットを示す分解斜視図である。
【図２】図２は、本実施形態に係る熱交換ユニットを示す横断面図である。
【図３】図３は、本実施形態に係る熱交換ユニットを示す縦断面図である。
【図４】図４は、本実施形態に係る冷却装置を示す背面図である。
【図５】図５（ａ）は、図４のＡ−Ａ断面図であり、図５（ｂ）は、図４のＢ−Ｂ断面図である。
【図６】図６は、本実施形態に係る熱交換ユニットを示す平面模式図である。
【図７】図７（ａ）は、前部ダクトに導入される空気量を示すグラフであり、図７（ｂ）は、前部ダクトのエジェクタノズルから放出される空気量を示すグラフである。
【図８】図８は、変更例１に係る前部ダクトを示す斜視図である。
【図９】図９は、変更例２に係る冷却装置を示す背面図である。
【発明を実施するための形態】
【００１８】
次に、本発明に係る冷却装置を備えた熱交換ユニットについて、図面を参照しながら説明する。なお、以下の図面の記載において、同一または類似の部分には、同一または類似の符号を付している。ただし、図面は模式的なものであり、各寸法の比率などは現実のものとは異なることに留意すべきである。したがって、具体的な寸法などは以下の説明を参酌して判断すべきである。また、図面相互間においても互いの寸法の関係や比率が異なる部分が含まれ得る。
【００１９】
（熱交換ユニットの構成）
まず、本実施形態に係る熱交換ユニット１の構成について、図面を参照しながら説明する。図１は、本実施形態に係る熱交換ユニット１を示す分解斜視図である。図２は、本実施形態に係る熱交換ユニット１を示す横断面図である。図３は、本実施形態に係る熱交換ユニット１を示す縦断面図である。なお、各図面においては、車両の前方を「ＦＤ」と示し、車両の後方を「ＲＤ」と示し、車両幅方向（側方）を「ＷＤ」と示し、車両の上下方向を「ＵＤ（Ｕ或いはＤ）」と示している。
【００２０】
本実施形態に係る熱交換ユニット１は、車両のフロントエンドモジュールに設けられ、ラジエータコアサポート（不図示）に取り付けられるものである。図１〜図３に示すように、熱交換ユニット１は、エンジンの冷却や車室内の空調に利用する熱交換器１０と、熱交換器１０に空気を送風する冷却装置２０とによって大略構成される。
【００２１】
熱交換器１０は、凝縮器としてのコンデンサ１１と、コンデンサ１１の車両後方に設けられた放熱器としのラジエータ１２とを有している。コンデンサ１１は、車両の空調装置に使用される冷媒と空気との間で熱交換して冷媒を冷却する。ラジエータ１２は、車両のエンジンの冷却に利用される冷却水と空気との間で熱交換して冷却水を冷却する。
【００２２】
冷却装置２０は、熱交換器１０の車両前方ＦＤに設けられている。冷却装置２０は、一対の送風機３０と、熱交換器１０の車両前方ＦＤに配設されるダクト部材としての前部ダクト４０と、送風機３０と前部ダクト４０の側部（端部）との間に配設される一対の側部ダクト５０とを備えている。
【００２３】
前部ダクト４０は、車幅方向ＷＤに沿って設けられ、且つ車両上下方向ＵＤに複数段（図面では４段）に配設されている。なお、前部ダクト４０の詳細について、後述する。
【００２４】
一対の側部ダクト５０は、各送風機３０と各前部ダクト４０とを中継し、送風機３０から送られた空気を各前部ダクト４０に分岐させている。側部ダクト５０は、前部ダクト４０（上段ダクト４０Ａ、下段ダクト４０Ｂ及び各中段ダクト４０Ｃ）の両端を支持している。各側部ダクト５０の前部ダクト４０側の面５０Ａには、前部ダクト４０側に向けて突出する複数（図面では、４つ）の取付支持部５１が形成されている。この取付支持部５１の内面に、前部ダクト４０の両端外周が嵌合する。
【００２５】
（前部ダクトの構成）
次に、上述した前部ダクト４０の構成について、図１〜図５を参照しながら説明する。
【００２６】
図４は、本実施形態に係る冷却装置２０を示す背面図である。図５（ａ）は、図４のＡ−Ａ断面図であり、図５（ｂ）は、図４のＢ−Ｂ断面図である。
【００２７】
図１、図３及び図５に示すように、前部ダクト４０は、車両前方ＦＤ側が湾曲状に形成されており、車両後方ＲＤ側がコンデンサ１１に向かって先細り状に形成されている。この前部ダクト４０は、上下一対の壁面（上面４２及び下面４３）を有している。
【００２８】
前部ダクト４０の車両前方ＦＤ側（湾曲状側）には、送風機３０から各側部ダクト５０を介して送られる空気をコンデンサ１１に向けて吹き付けるエジェクタノズル４１が形成されている。エジェクタノズル４１は、車幅方向ＷＤに沿って設けられており、熱交換器１０側に向かって開口している。
【００２９】
ここで、本実施形態では、前部ダクト４０は、最上段に設けられた上段ダクト４０Ａと、最下段に設けられた下段ダクト４０Ｂと、上段ダクト４０Ａと下段ダクト４０Ｂとの間に設けられた２つの中段ダクト４０Ｃとを備えている。上段ダクト４０Ａには、コンデンサ１１に対して少なくとも下部側に送風するエジェクタノズル４１（４１Ａ）が形成されている。下段ダクト４０Ｂには、コンデンサ１１に対して少なくとも上部側に送風するエジェクタノズル４１（４１Ｂ）が形成されている。各中段ダクト４０Ｃは、コンデンサ１１に対して上部側及び下部側に送風する上下一対のエジェクタノズル４１（４１Ｃ）が形成されている。
【００３０】
このような前部ダクト４０は、前部ダクト４０の長手方向（以下、車幅方向ＷＤ）の中央寄りに設けられる中央領域４０ＣＦと、車幅方向ＷＤの端部寄りに設けられる端部領域４０ＥＦとを有している。
【００３１】
図４及び図５に示すように、各中央領域４０ＣＦが各端部領域４０ＥＦよりも厚み方向（いわゆる、車両上下方向ＵＤ）の寸法が小さく形成されており、言い換えると、各端部領域４０ＥＦが各中央領域４０ＣＦよりも厚み方向の寸法が大きく形成されている。すなわち、図５に示すように、各中央領域４０ＣＦの厚み方向の寸法Ｔｃｆは、各端部領域４０ＥＦよりも厚み方向の寸法Ｔｅｆよりも小さい（Ｔｃｆ＜Ｔｅｆ）。
【００３２】
本実施形態では、各前部ダクト４０の厚み方向の寸法は、中央領域４０ＣＦから端部領域４０ＥＦに亘って徐々に大きくなる。なお、前部ダクト４０の上面４２及び下面４３の両方は、中央領域４０ＣＦで他方側に向かって凹んでいる。
【００３３】
各中央領域４０ＣＦを通過する空気の通風抵抗は、各端部領域４０ＥＦを通過する空気の通風抵抗よりも大きくなっている。また、各中央領域４０ＣＦの間隔Ｄｃｆは、各端部領域４０ＥＦの間隔Ｄｅｆよりも広くなっている。
【００３４】
（空気の流れ）
次に、上述した熱交換ユニット１の空気の流れについて、図面を参照しながら簡単に説明する。図６は、本実施形態に係る熱交換ユニット１を示す平面模式図である。図７（ａ）は、前部ダクト４０に導入される空気量を示すグラフであり、図７（ｂ）は、前部ダクト４０のエジェクタノズル４１から放出される空気量を示すグラフである。
【００３５】
まず、送風機３０が駆動すると各側部ダクト５０へ空気が送り込まれる。各側部ダクト５０へ送り込まれた空気は、各取付支持部５１から分岐して前部ダクト４０（上段ダクト４０Ａや下段ダクト４０Ｂ、中段ダクト４０Ｃ）に導入する。なお、送風機３０の回転速度を調整することによって空気量（風量）を制御できる。
【００３６】
そして、図３に示すように、前部ダクト４０に導入された空気は、エジェクタノズル４１からコンデンサ１１に向けて送風される。エジェクタノズル４１から放出された空気は、前部ダクト４０の車両前方ＦＤの空気を誘引しながら（巻き込みながら）、熱交換器１０（コンデンサ１１及びラジエータ１２）を通過する。
【００３７】
このとき、図５、図６及び図７（ａ）に示すように、各中央領域４０ＣＦの間隔Ｄｃｆが各端部領域４０ＥＦの間隔Ｄｅｆよりも広いため、各中央領域４０ＣＦの間に入り込む空気量は、各端部領域４０ＥＦの間に入り込む空気量よりも少ない。一方、図５、図６及び図７（ｂ）に示すように、各中央領域４０ＣＦを通過する空気の通風抵抗が各端部領域４０ＥＦを通過する空気の通風抵抗よりも大きいことで、各中央領域４０ＣＦのエジェクタノズル４１から放出される空気量は、各端部領域４０ＥＦのエジェクタノズル４１から放出される空気量よりも多くなる。従って、熱交換器１０を通過する際の空気の風速分布が車幅方向ＷＤで均一になりやすい。
【００３８】
（作用・効果）
以上説明した本実施形態では、前部ダクト４０が熱交換器１０の車両前方ＦＤで複数段に配設されることによって、前部ダクト４０に形成されたエジェクタノズル４１から放出された空気は、前部ダクト４０の車両前方ＦＤの空気を誘引しながら熱交換器１０を通過する。つまり、エジェクタノズル４１から放出された空気は、当該空気に誘引された車両前方ＦＤの空気とともに、熱交換器１０の全域を通過する。
【００３９】
また、各前部ダクト４０の厚み方向の寸法を均一な場合、エジェクタノズル４１から放出される空気量は端部領域４０ＥＦに比べて中央領域４０ＣＦの方が多くなることがあるが、前部ダクト４０の中央領域４０ＣＦが端部領域４０ＥＦよりも厚み方向の寸法が小さい（Ｔｃｆ＜Ｔｅｆ）ことによって、中央領域４０ＣＦを通過する空気の通風抵抗が端部領域４０ＥＦを通過する空気の通風抵抗よりも大きくなるため、中央領域４０ＣＦの、エジェクタノズル４１から放出される空気量が多くなることを抑制できる。
【００４０】
一方、各前部ダクト４０の中央領域４０ＣＦの間隔Ｄｃｆが端部領域４０ＥＦの間隔Ｄｅｆよりも広いため、中央領域４０ＣＦの間に入り込む空気量が端部領域４０ＥＦの間に入り込む空気量よりも少なくなる。つまり、エジェクタノズル４１から放出される空気量と各前部ダクト４０間に入る空気量とを調節することで、前部ダクト４０の端部領域４０ＥＦから中央領域４０ＣＦに至る間の空気量を均一化することができる。従って、熱交換器１０を通過する際の空気の風速分布が均一になりやすい。
【００４１】
本実施形態では、各前部ダクト４０の厚み方向の寸法が中央領域４０ＣＦから端部領域４０ＥＦに亘って徐々に大きくなることによって、急激に変化する場合と比較して、熱交換器１０を通過する際の空気の風速分布が車幅方向ＷＤでより均一になりやすい。
【００４２】
本実施形態では、前部ダクト４０には、熱交換器１０に対して上部側に送風するエジェクタノズル４１、及び、熱交換器１０に対して下部側に送風するエジェクタノズル４１のうち、少なくとも一方が形成されている。これにより、エジェクタノズル４１からの空気やそれに誘引された空気が不要な箇所へ流れにくく、当該空気を熱交換器１０の全面に対して効率的に通過させることができる。
【００４３】
（変更例）
次に、上述した実施形態に係る冷却装置２０の変更例について、図面を参照しながら説明する。なお、上述した実施形態に係る冷却装置２０と同一部分には同一の符号を付して、相違する部分を主として説明する。
【００４４】
（変更例１）
まず、変更例１に係る冷却装置２０について、図８を参照しながら説明する。図８は、変更例１に係る前部ダクト４０を示す斜視図である。
【００４５】
上述した実施形態では、各前部ダクト４０の厚み方向の寸法は、中央領域４０ＣＦから端部領域４０ＥＦに亘って徐々に大きくなっている。
【００４６】
これに対して、変更例１では、図８（ａ）に示すように、中央領域４０ＣＦの寸法Ｔｃｆは、車幅方向ＷＤに沿って一定であり、端部領域４０ＥＦの寸法Ｔｅｆは、中央領域４０ＣＦよりも大きく、且つ車幅方向ＷＤに沿って一定である。
【００４７】
このうような変更例１では、上述した実施形態と同様に、前部ダクト４０の厚み方向の寸法が一定の場合と比較して、熱交換器１０を通過する際の空気の風速分布が車幅方向ＷＤで均一になりやすく、熱交換器の熱交換効率が向上する。
【００４８】
なお、中央領域４０ＣＦの寸法Ｔｃｆや端部領域４０ＥＦの寸法Ｔｅｆは、車幅方向ＷＤに沿って一定であるものとして説明したが、これに限定されるものではない。例えば、図８（ｂ）に示すように、中央領域４０ＣＦの寸法Ｔｃｆや端部領域４０ＥＦの寸法Ｔｅｆは、車幅方向ＷＤに対して段階的に変化するものであってもよい。
【００４９】
（変更例２）
次に、変更例２に係る冷却装置２０について、図９を参照しながら説明する。図９は、変更例２に係る冷却装置２０を示す背面図である。
【００５０】
上述した実施形態では、前部ダクト４０の上面４２及び下面４３の両方は、中央領域４０ＣＦで他方側に向かって凹んでいる。
【００５１】
これに対して、変更例２では、図９（ａ）に示すように、前部ダクト４０の上面４２及び下面４３の何れか一方は、中央領域４０ＣＦで他方側に向かって凹んでいる。具体的には、上段ダクト４０Ａ及び上側の中段ダクト４０Ｃでは、下面４３が凹んでおり、上面４２が車幅方向ＷＤに沿った直線状である。一方、下段ダクト４０Ｂ及び下側の中段ダクト４０Ｃでは、上面４２が凹んでおり、下面４３が車幅方向ＷＤに沿った直線状である。
【００５２】
このような変更例２では、上述した実施形態や変更例１と同様に、前部ダクト４０の厚み方向の寸法が一定の場合と比較して、熱交換器１０を通過する際の空気の風速分布が車幅方向ＷＤで均一になりやすく、熱交換器の熱交換効率が向上する。
【００５３】
なお、前部ダクト４０は、上段ダクト４０Ａ、下段ダクト４０Ｂ及び各中段ダクト４０Ｃの４段であるものとして説明したが、これに限定されるものでない。例えば、図９（ｂ）に示すように、各中段ダクト４０Ｃの間に、上面４２及び下面４３が凹んでいない中段ダクト４０Ｅ（すなわち、前部ダクト４０の厚み方向の寸法が一定である中段ダクト）が設けられていてもよい。この場合、各中段ダクト４０Ｃの中央領域４０ＣＦの間隔が大きくなることを防止でき、熱交換器１０を通過する際の空気の風速分布が車幅方向ＷＤでより均一になりやすくなる。
【００５４】
（その他の実施形態）
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００５５】
例えば、本発明の実施形態は、次のように変更することができる。具体的には、熱交換ユニット１は、ラジエータコアサポート（不図示）に取り付けられるものとして説明したが、これに限定されるものではなく、車両前方ＦＤ（フロントエンドモジュール）に設けられていればよい。なお、熱交換器１０のコンデンサ１１及びラジエータ１２の配置は、実施形態と逆であってもよいことは勿論である。
【００５６】
また、冷却装置２０は、一対の送風機３０を備えているものとして説明したが、これに限定されるものではなく、熱交換器１０の車幅方向のいずれか一方の側部に取り付けられる一つの送風機３０を備えるものであってもよい。この場合、冷却装置２０は、熱交換器１０の車幅方向のいずれか一方の側部に取り付けられる一つの側部ダクト５０を備えていればよい。
【００５７】
また、前部ダクト４０は、車幅方向ＷＤに沿って設けられて車両上下方向ＵＤに複数段に配設されるものとして説明したが、これに限定されるものではなく、例えば、車両上下方向ＵＤに沿って設けられて車幅方向ＷＤに複数配設されるものであってもよい。
【００５８】
また、前部ダクト４０と側部ダクト５０とは、別体に設けられるものとして説明したが、これに限定されるものではなく、一体に形成されていてもよい。また、前部ダクト４０の形状については、実施形態で説明した形状に限定されるものではなく、熱交換器１０に向けて吹き付けられる形状であればよいことは勿論である。
【００５９】
また、前部ダクト４０は、車幅方向ＷＤに沿って設けられて車両上下方向ＵＤに複数段に配設されるものとして説明したが、これに限定されるものではなく、例えば、車両上下方向ＵＤに沿って設けられて車幅方向ＷＤに複数配設されるものであってもよい。この場合、側部ダクト５０は、前部ダクト４０の上下に位置する側部に送風機３０からの空気を中継できる構成や形状であればよい。
【００６０】
また、前部ダクト４０は、上段ダクト４０Ａ、下段ダクト４０Ｂ及び２つの中段ダクト４０Ｃを備えるものとして説明したが、これに限定されるものではなく、少なくとも何れか一つのダクトによって構成されていればよく、例えば、上段ダクト４０Ａ及び下段ダクト４０Ｂのみによって構成されていてもよい。
【００６１】
また、上段ダクト４０Ａは、熱交換器１０に対して下部側に送風するものとして説明したが、これに限定されるものではなく、熱交換器１０に対して上部側にも送風してもよい。同様に、下段ダクト４０Ｂについても、熱交換器１０に対して上部側に加えて下部側にも送風してもよい。つまり、各前部ダクト４０には、熱交換器１０に対して上部側に送風するエジェクタノズル４１、及び、熱交換器１０に対して下部側に送風するエジェクタノズル４１のうち、少なくとも一方が形成されていればよい。
【００６２】
このように、本発明は、ここでは記載していない様々な実施の形態などを含むことは勿論、上述した実施形態や変更例を組み合わせてもよい。したがって、本発明の技術的範囲は、上述の説明から妥当な特許請求の範囲に係る発明特定事項によってのみ定められる。
【符号の説明】
【００６３】
１…熱交換ユニット
１０…熱交換器
２０…冷却装置
３０…送風機
４０…前部ダクト（ダクト部材）
４０Ａ…上段ダクト
４０Ｂ…下段ダクト
４０Ｃ，４０Ｅ…中段ダクト
４０ＣＦ…中央領域
４０ＥＦ…端部領域
４１…エジェクタノズル
４２…上面（壁面）
４３…下面（壁面）
５０…側部ダクト
【図１】
2014173484.tif 000003
【図２】
2014173484.tif 000004
【図３】
2014173484.tif 000005
【図４】
2014173484.tif 000006
【図５】
2014173484.tif 000007
【図６】
2014173484.tif 000008
【図７】
2014173484.tif 000009
【図８】
2014173484.tif 000010
【図９】
2014173484.tif 000011